(57)【要約】【課題】無線特性測定時にアンテナの影響を容易に無くすことができること。【解決手段】無線伝送装置はアンテナ１と、変調を行って無線送信を行う無線送信部２と、無線を受信して復調する無線受信部３と、無線送信部２や無線受信部３に基準周波数を供給する局部発振器５と、無線送信動作時には無線送信部２とアンテナ１を接続し、無線受信動作時には無線受信部３とアンテナ１を接続するよう切り替えるスイッチ４と、無線伝送装置を運用するための「通常動作モード」と、無線伝送装置の無線特性を測定するための「検査モード」の選択を行える動作モード設定部６と、無線送信部２へ送信データの出力や無線受信部３から受信データを入力しデータ処理を行うと共に、動作モード設定部６の内容によってスイッチ４の切替を逆に行わせるよう動作するマイクロコンピュータを備えた制御部７から構成される。【選択図】図１
2010098637.tif 000002
【特許請求の範囲】
【請求項１】
アンテナと、変調を行い無線送信を行う無線送信部と、無線を受信して復調する無線受信部と、前記アンテナと前記無線送信部または前記アンテナと前記無線受信部とが接続されるようにスイッチを切替える制御部と、運転モードと検査モードを切替える動作モード設定部とを備え、
前記制御部は、
前記運転モード時に無線送信の要求があった場合、前記スイッチを切替えて前記アンテナと前記無線送信部を接続し、
前記運転モード時に無線受信の要求があった場合、前記スイッチを切替えて前記アンテナと前記無線受信部を接続し、
前記検査モード時に無線送信の要求があった場合、前記スイッチを切替えて前記アンテナと前記無線受信部を接続し、
前記検査モード時に無線受信の要求があった場合、前記スイッチを切替えて前記アンテナと前記無線送信部を接続する
無線伝送装置。
【請求項２】
スイッチの各端子の信号レベルを確認するための計測器を設けた請求項１記載の無線伝送装置。
【発明の詳細な説明】
【技術分野】
【０００１】
本発明は無線伝送装置において、無線送信性能や無線受信性能の確認を容易に可能にする制御方法に関するものである。
【背景技術】
【０００２】
従来、この種の無線伝送装置は無線送信時と無線受信時にアンテナがそれぞれ無線送信回路や無線受信回路に接続されるよう構成されている（例えば、特許文献１参照）。
【０００３】
図５は、特許文献１に記載された無線伝送装置の概略を示すものである。図５に示すように、変調を行って無線送信を行う無線送信部１２と、無線を受信して復調する無線受信部１３と、無線送信部１２や無線受信部１３に基準周波数を供給する局部発振器１４と、無線送信動作時には無線送信部１３とアンテナ１５を接続し、無線受信動作時には無線受信部１２とアンテナを１５接続するよう切り替えるスイッチ１６と、上記制御を行う制御部１７とから構成されている。
【特許文献１】特開２００２−１８５３５７号公報
【発明の開示】
【発明が解決しようとする課題】
【０００４】
しかしながら、前記従来の構成では、無線特性を測定する場合、例えば無線送信特性を測定する時には無線送信部とアンテナがスイッチにより接続されているため、アンテナ端子で無線特性を測定する場合にはアンテナが影響して、求める性能を測定することができなかった。
【０００５】
そのため、このアンテナの影響を無くすため、アンテナを回路から取り外してアンテナ端に計測器を接続する必要があった。また、アンテナを回路から切り離すために別のスイッチを設けたり、プリント基板の銅箔をはんだで切断・接続する等して対応する必要があり、無線特性測定のための部材や作業工数が増大するという課題を有していた。
【０００６】
本発明は、前記従来の課題を解決するもので、無線特性測定時にアンテナの取り外しや不要なスイッチを設けることのない合理的な無線伝送装置を提供するものである。
【課題を解決するための手段】
【０００７】
従来の課題を解決するために、本発明は運転モード時に無線送信の要求があった場合、スイッチを切替えてアンテナと無線送信部を接続し、運転モード時に無線受信の要求があった場合、スイッチを切替えてアンテナと無線受信部を接続し、検査モード時に無線送信の要求があった場合、スイッチを切替えてアンテナと無線受信部を接続し、検査モード時に無線受信の要求があった場合、スイッチを切替えてアンテナと無線送信部を接続するものである。
【発明の効果】
【０００８】
本発明の無線伝送装置は無線特性測定時にアンテナの取り外しや不要なスイッチを設ける必要が無いため、低コスト、低工数で無線性能を確認することが可能となる。
【発明を実施するための最良の形態】
【０００９】
第１の発明は、アンテナと、変調を行い無線送信を行う無線送信部と、無線を受信して復調する無線受信部と、前記アンテナと前記無線送信部または前記アンテナと前記無線受信部とが接続されるようにスイッチを切替える制御部と、運転モードと検査モードを切替
える動作モード設定部とを備え、前記制御部は、前記運転モード時に無線送信の要求があった場合、前記スイッチを切替えて前記アンテナと前記無線送信部を接続し、前記運転モード時に無線受信の要求があった場合、前記スイッチを切替えて前記アンテナと前記無線受信部を接続し、前記検査モード時に無線送信の要求があった場合、前記スイッチを切替えて前記アンテナと前記無線受信部を接続し、前記検査モード時に無線受信の要求があった場合、前記スイッチを切替えて前記アンテナと前記無線送信部を接続するものである。
【００１０】
これにより、無線特性を測定する場合にアンテナを取り外すことが不要となる。
【００１１】
第２の発明は、前記スイッチの各端子の信号レベルを確認するための計測器を設けたものである。
【００１２】
これにより、無線性能を測定するための計測器の接続を低コストで実現することが可能となる。
【００１３】
（実施の形態１）
図１は、本発明の第１の実施の形態における無線伝送装置の要部ブロック図を示すものである。
【００１４】
図１において、無線伝送装置はアンテナ１と、変調を行って無線送信を行う無線送信部２と、無線を受信して復調する無線受信部３と、無線送信部２や無線受信部３に基準周波数を供給する局部発振器５と、無線送信動作時には無線送信部２とアンテナ１を接続し、無線受信動作時には無線受信部３とアンテナ１を接続するよう切り替えるスイッチ４と、無線伝送装置を運用するための「通常動作モード」と、無線伝送装置の無線特性を測定するための「検査モード」の選択を行える動作モード設定部６と、無線送信部２へ送信データの出力や無線受信部３から受信データを入力しデータ処理を行うと共に、動作モード設定部６の内容によってスイッチ４の切替を逆に行わせるよう動作するマイクロコンピュータを備えた制御部７から構成される。
【００１５】
次に、通常動作モードについて説明する。動作モード設定部６により通常動作モードを設定している場合において送信要求があったとき、制御部７は無線送信部２に対して変調や無線送信を行う要求を出し、スイッチ４に対しスイッチを４ｂに切り換えるように要求する。これにより、無線送信を行うことができる。
【００１６】
また、動作モード設定部６により通常動作モードを設定している場合において受信要求があったとき、制御部７はスイッチ４に対しスイッチを４ｃに切り換えるように要求し、無線受信部３に対して無線を受信して復調するように要求する。これにより、無線送信を行うことができる。
【００１７】
次に、検査モードについて説明する。動作モード設定部６により検査モードを設定している場合において制御部７から送信要求を出力させて無線送信部２を検査するとき、制御部７は無線送信部２に対して変調や無線送信を行う要求を出力し、スイッチ４に対しスイッチを４ｃに切り換えるように要求する。
【００１８】
また、動作モード設定部６により検査モードを設定している場合において制御部７から受信要求を出力させて無線受信部３を検査するとき、制御部７は無線受信部３に対して無線を受信して復調を行う要求を出力し、スイッチ４に対しスイッチを４ｂに切り換えるように要求する。
【００１９】
ここで、図２に制御部７の動作を説明するためのフローチャートを示す。制御部７はマ
イクロコンピュータで制御されており、無線伝送装置は通常ステップ２１、ステップ２２で送信要求が発生していないか、また、他装置から電波が発生していないかをチェックしている。
【００２０】
通常動作モードで送信要求が発生するとステップ２４、ステップ２５と進み、スイッチ４は接点４ａと４ｂを接続し、無線送信部２からアンテナ１へ所定の電波が送信される。また、通常動作モードで受信確認をする場合にはステップ２６、ステップ２７と進み、スイッチ４は接点４ａと４ｃを接続し、アンテナ１からの信号を無線受信部３で受信することが可能となる。
【００２１】
一方、検査モードの場合には上記動作とは逆に、無線送信要求時にはアンテナ１を無線受信部３側に接続することによって無線送信部２とアンテナ１を切り離す。また、無線受信要求時にはアンテナ１を無線送信部２側に接続することによって無線受信部３とアンテナ１を切り離すように動作する。従って、無線の特性を測定する場合にアンテナの影響を無くすことが可能となる。
【００２２】
なお、図１に代わり図３のような形態であってもよい。図３では、無線送信部２とスイッチ４の間にテストポイント８ａ、無線受信部３とスイッチ４の間にテストポイント９ａが設けられている。また、これらテストポイントには送信性能を測定するための計測器８や受信性能を測定するための計測器９を接続することが可能になる。また、図示はしないが、本回路を構成するプリント基板に前記テストポイントをランドで構成することにより計測器のプローブなどの接続を低コストで実施することが可能となる。
【産業上の利用可能性】
【００２３】
以上のように、本発明にかかる無線伝送装置、送信、受信機能を持ち合わせた無線装置の無線特性検査の用途に適用できる。
【図面の簡単な説明】
【００２４】
【図１】本発明の実施の形態における無線伝送装置の要部ブロック図
【図２】本発明の実施の形態におけるスイッチ４の動作を説明するためのフロー図
【図３】本発明の実施の形態における無線伝送装置の要部ブロック図
【図４】従来の無線伝送装置
【符号の説明】
【００２５】
１  アンテナ
２  無線送信部
３  無線受信部
４  スイッチ
５  局部発信器
６  動作モード設定部
７  制御部
【図１】
2010098637.tif 000003
【図２】
2010098637.tif 000004
【図３】
2010098637.tif 000005
【図４】
2010098637.tif 000006